(57)【要約】【課題】自車両に属する監視対象を含む監視範囲を運転者が適時に視認できるようにする車載カメラシステムを提供すること。【解決手段】車載カメラシステム１００は、自車両に属する監視対象を含む監視範囲を撮像する撮像手段２、３と、運転シーンを決定する運転シーン決定手段１０と、撮像手段２、３が撮像した監視範囲を表示部に表示させたときの運転シーンを監視範囲に関連付けて記録する運転シーン記録手段１１と、運転シーン記録手段１１が記録した運転シーンと現在の運転シーンとに基づいて表示部に表示させる監視範囲を選択する監視範囲選択手段１３と、を備える。【選択図】図１
2008290584.tif 000002
【特許請求の範囲】
【請求項１】
自車両に属する監視対象を含む監視範囲を撮像する撮像手段と、
運転シーンを決定する運転シーン決定手段と、
前記撮像手段が撮像した監視範囲を表示部に表示させたときの運転シーンを監視範囲に関連付けて記録する運転シーン記録手段と、
前記運転シーン記録手段が記録した運転シーンと現在の運転シーンとに基づいて前記表示部に表示させる監視範囲を選択する監視範囲選択手段と、
を備えることを特徴とする車載カメラシステム。
【請求項２】
運転者を識別する運転者識別手段を更に備え、
前記運転シーン記録手段は、前記運転者識別手段が識別した運転者毎に運転シーンを記録する、
ことを特徴とする請求項１に記載の車載カメラシステム。
【請求項３】
前記撮像手段が撮像した監視範囲を表示部に表示させたときの撮像条件を監視範囲に関連付けて記録する撮像条件記録手段、
を更に備えることを特徴とする請求項１又は２に記載の車載カメラシステム。
【請求項４】
前記運転シーン決定手段は、車両状態、時刻、車両位置、搭乗者の着座状態、積載物の積載状態、道路状態、又は、気象状態に基づいて予め登録された運転シーンの中から現状に対応する運転シーンを決定する、
ことを特徴とする請求項１乃至３の何れか一項に記載の車載カメラシステム。
【発明の詳細な説明】
【技術分野】
【０００１】
本発明は、車載カメラシステムに関し、特に、自車両に属する監視対象を含む監視範囲を運転者が適時に視認できるようにする車載カメラシステムに関する。
【背景技術】
【０００２】
従来、ドライバーに違和感を与えることなく、ドライバーが必要とする情報を必要なときに的確に提供できる運転支援装置が知られている（例えば、特許文献１参照。）。
【０００３】
この運転支援装置は、車両に設置された複数のカメラから画像データを取得し、状況に応じてディスプレイに表示させる画像を切り替えるようにする。
【０００４】
例えば、この運転支援装置は、イグニッションスイッチがオンされた場合には、全周囲死角のない車両周辺の合成画像をディスプレイに表示させ、シフト位置が前進ギアにセットされた場合には、車両前方の様子が確認できる画像をディスプレイに表示させ、或いは、シフト位置が後退ギアにセットされた場合には、車両後方の様子が確認できる画像をディスプレイに表示させるようにする。
【特許文献１】特開２００２−１０９６９７号公報
【発明の開示】
【発明が解決しようとする課題】
【０００５】
しかしながら、特許文献１に記載の運転支援装置は、状況に応じて変化する車両周辺の所定の推奨監視範囲（運転者による視認が推奨される車両周辺の範囲であって予め登録された範囲である。）を運転者が視認できるよう、ディスプレイに表示させる画像を自動的に切り替えるようにするが、あくまで車両周辺の監視に限られ、搭乗者や積載物のような自車両に属する対象を監視するためのものではない。
【０００６】
上述の点に鑑み、本発明は、自車両に属する監視対象を含む監視範囲を運転者が適時に視認できるようにする車載カメラシステムを提供することを目的とする。
【課題を解決するための手段】
【０００７】
上述の目的を達成するために、第一の発明に係る車載カメラシステムは、自車両に属する監視対象を含む監視範囲を撮像する撮像手段と、運転シーンを決定する運転シーン決定手段と、前記撮像手段が撮像した監視範囲を表示部に表示させたときの運転シーンを監視範囲に関連付けて記録する運転シーン記録手段と、前記運転シーン記録手段が記録した運転シーンと現在の運転シーンとに基づいて前記表示部に表示させる監視範囲を選択する監視範囲選択手段と、を備えることを特徴とする。
【０００８】
また、第二の発明は、第一の発明に係る車載カメラシステムであって、運転者を識別する運転者識別手段を更に備え、前記運転シーン記録手段は、前記運転者識別手段が識別した運転者毎に運転シーンを記録することを特徴とする。
【０００９】
また、第三の発明は、第一又は第二の発明に係る車載カメラシステムであって、前記撮像手段が撮像した監視範囲を表示部に表示させたときの撮像条件を監視範囲に関連付けて記録する撮像条件記録手段を更に備えることを特徴とする。
【００１０】
また、第四の発明は、第一乃至第三の何れかの発明に係る車載カメラシステムであって、前記運転シーン決定手段は、車両状態、時刻、車両位置、搭乗者の着座状態、積載物の積載状態、道路状態、又は、気象状態に基づいて予め登録された運転シーンの中から現状に対応する運転シーンを決定することを特徴とする。
【発明の効果】
【００１１】
上述の手段により、本発明は、自車両に属する監視対象を含む監視範囲を運転者が適時に視認できるようにする車載カメラシステムを提供することができる。
【発明を実施するための最良の形態】
【００１２】
以下、図面を参照しつつ、本発明を実施するための最良の形態の説明を行う。
【実施例】
【００１３】
図１は、本発明に係る車載カメラシステムの構成例を示す図であり、車載カメラシステム１００は、荷台若しくはトランクにある荷物、又は、後部座席にいる乳幼児若しくはペット等の監視対象をカメラで撮影しながら運転席付近に設置されたディスプレイ８に適時に撮影した画像を表示させるシステムであって、制御部１、周辺監視カメラ２、自己監視カメラ３、車両状態検出装置４、入力装置５、個人認証装置６、記憶装置７、表示装置８及び音声出力装置９から構成される。
【００１４】
制御部１は、ＣＰＵ（Central  Processing  Unit）、ＲＡＭ(Random  Access  Memory)、ＲＯＭ（Read  Only  Memory）等を備えたコンピュータであって、例えば、運転シーン決定手段１０、運転シーン記録手段１１、撮像条件記録手段１２及び監視範囲選択手段１３のそれぞれに対応するプログラムをＲＯＭに記憶しながら、各手段に対応する処理をＣＰＵに実行させる。
【００１５】
「運転シーン」とは、運転状況を特定するための指標であり、例えば、車両状態（車速、加速度、操舵角等）、時刻（曜日、昼夜の区別等）、車両位置（緯度、経度、高度等）、搭乗者の着座状態（着座の有無、着座位置等）、積載物の積載状態（積載の有無、積載位置等）、道路状態（舗装路、未舗装路の区別等）、又は、気象状態（降雨、積雪、濃霧発生の有無等）等に基づいて定義される。
【００１６】
「運転シーン」の分類には、例えば、「信号待ち」（交差点から所定範囲の位置で車速がゼロとなった場合に採用される。）、「段差通過」（閾値以上の上下加速度を検出した場合に採用される。）、「急停車」（閾値以上の減速度を検出した場合に採用される。）、「狭路における擦れ違い」（狭路区間で対向車を検出した場合に採用される。）、又は、「ブラインドコーナー」（見通しのきかないカーブに接近した場合に採用される。）等がある。
【００１７】
また、「運転シーン」の分類は、予め登録されたものであってもよく、操作者が新たに生成するものであってもよい。
【００１８】
「監視範囲」とは、自車両に属する所定領域を監視するために予め区分された範囲であり、例えば、右側後部座席、左側後部座席、トランク内部、荷台、ルーフトップ、又は、トレーラ内部等がある。
【００１９】
周辺監視カメラ２は、自車両周辺を監視するための装置であり、例えば、ＣＭＯＳ(Complementary  Metal  Oxide  Semiconductor)やＣＣＤ(Charge  Coupled  Device)等の撮像素子を備えたカメラであって、フロントグリルや後部ナンバープレート付近に取り付けられ、自車両の周辺の画像を取得する。
【００２０】
自己監視カメラ３は、自車両に属する監視対象を監視するための装置であり、例えば、周辺監視カメラ２と同様、ＣＭＯＳやＣＣＤ等の撮像素子を備えたカメラであって、車室内の天井、トランク内部、又は、トラックの荷台等に取り付けられ、後部座席の乳幼児やペット、トランクに収納された荷物、又は、トラックの荷台やルーフキャリアに積載された荷物等の画像を取得する。
【００２１】
なお、周辺監視カメラ２及び自己監視カメラ３（以下、「監視カメラ群」とする。）は、それぞれ、１台であっても複数台であってもよく、トランク内等の暗部を監視する場合には暗視撮影が可能な赤外線カメラであってもよい。また、監視カメラ群によって撮像される画像は、静止画像、動画像の何れであってもよく、また、カラー画像、白黒画像の何れであってもよい。
【００２２】
車両状態検出装置４は、車両の状態を検出するための装置であり、例えば、車速センサ、操舵角センサ若しくは加速度センサ等の車両の挙動を検知するためのセンサ、又は、マイク、超音波レーダ、着座センサ、画像センサ、サーモグラフィ等の搭乗者や荷物の状態を検知するためのセンサがある。
【００２３】
また、車両状態検出装置４は、ナビゲーション装置を含み、自車両の位置情報、又は、ルート情報等を取得して制御部１に出力するようにしてもよい。運転シーンの決定に利用するためである。
【００２４】
入力装置５は、各種情報を車載カメラシステム１００に入力するための装置であり、例えば、エスカッションスイッチ、タッチパネル、ジョイスティック、リモートコントローラ等であって、表示装置８に表示される監視画像（ビュー）を手動で切り替えたり、周辺監視カメラ２又は自己監視カメラ３の撮像条件（例えば、カメラアングル、ズーム倍率、絞り、シャッタースピード等がある。）を手動で調整したりするために利用される。
【００２５】
また、入力装置５は、上述のような手入力操作のための装置の他、音声入力操作のための装置（例えば、マイクである。）であってもよい。
【００２６】
個人認証装置６は、個人を認証するための装置であり、例えば、指紋認証装置、虹彩認証装置、顔認証装置、静脈認証装置等であって、運転者を識別するために利用される。
【００２７】
また、個人認証装置６は、個人の生体情報を読み取ることで個人を認証する上述のような装置の他、パスワードの入力を求め、入力されたパスワードから個人を識別する装置であってもよく、スマートキーやＩＣカード等の所有物と通信を行いながら個人を識別する装置であってもよい。
【００２８】
記憶装置７は、各種情報を記憶するための装置であり、例えば、ハードディスク、フラッシュメモリ、ＤＶＤ（Digital  Versatile  Disk）等の記憶媒体であって、監視範囲データベース（以下、「監視範囲ＤＢ」とする。）７０を格納する。なお、記憶装置７は、車両に据え付けられる装置であってもよく、各運転者が持ち運べるようにした携帯型の着脱可能な装置であってもよい。
【００２９】
監視範囲ＤＢ７０は、監視範囲を運転シーンに関連付けて記憶するデータベースであり、車載カメラシステム１００が運転シーンに対応する監視範囲を学習し、運転シーンに応じて監視範囲を自動的に選択できるようにする。
【００３０】
また、監視範囲ＤＢ７０は、運転シーンに加え、監視画像の撮像条件を監視範囲に関連付けて記憶するようにしてもよい。運転シーンに応じて監視範囲の撮像条件を再現できるようにするためである。
【００３１】
図２は、監視範囲ＤＢ７０の構成例を示す図であり、監視範囲ＤＢ７０は、「運転者ＩＤ」欄、「運転シーンＩＤ」欄、「監視範囲ＩＤ」欄、「撮像条件」欄及び「諾否」欄から構成される。
【００３２】
「運転者ＩＤ」欄は、個人認証装置６が認証した運転者の識別番号を記憶するフィールドを示し、「運転シーンＩＤ」欄は、表示装置８や監視カメラ群が入力装置５を介して操作された時に後述の運転シーン決定手段１０によって決定される運転シーンの識別番号を記憶するフィールドを示す。
【００３３】
また、「監視範囲ＩＤ」欄は、監視範囲の識別番号を記憶するためのフィールドを示し、基本的には、所定の監視範囲を撮像するカメラの識別番号が割り当てられる。なお、１台のカメラが複数の監視範囲を担当する場合には、カメラの識別番号に加え、そのカメラのアングルやズーム倍率等によって特定される監視範囲ＩＤが割り当てられる。
【００３４】
また、「撮像条件」欄は、監視範囲を撮像するカメラのアングルやズーム倍率等を記憶するフィールドを示し、「諾否」欄は、監視範囲の利用状況（後述の監視範囲選択手段１３により選択され、車載カメラシステム１００により提示される監視範囲が運転者によって受け入れられたか、或いは、拒絶されたかを集計する。）を記憶するフィールドを示す。
【００３５】
なお、車載カメラシステム１００は、監視範囲ＤＢ７０に「運転者ＩＤ」欄を用意しながら複数の運転者に関する情報を一括管理するが、運転者毎にデータベースを構築するようにし、それら運転者毎のデータベースを異なる記憶媒体（例えば、各運転者が携帯するフラッシュメモリ等である。）又は記憶領域に格納するようにしてもよい。
【００３６】
表示装置８は、各種情報を表示するための装置であり、例えば、液晶ディスプレイや有機ＥＬ(Electro  Luminescence)ディスプレイ等であって、インストルメントパネル付近、ダッシュボード上部、センターコンソール付近等、運転者が進行方向から視線を大きく逸らすことなく容易に視認できる位置に取り付けられ、周辺監視カメラ２又は自己監視カメラ３が取得した画像を表示させる。
【００３７】
音声出力装置９は、各種情報を音声出力するための装置であり、例えば、車載スピーカであって、監視範囲の選択に関する質問、案内、注意若しくは警告等を音声出力する。
【００３８】
次に、制御部１が有する各種手段について説明する。
【００３９】
運転シーン決定手段１０は、運転シーンを決定するための手段であり、例えば、車両状態検出装置４からの出力に基づいて運転シーンを周期的（例えば、１秒間隔）に更新する。
【００４０】
運転シーン決定手段１０は、車両状態検出装置４からの出力を継続的に監視しながら、それら出力値と既登録の各運転シーンに対応する条件（例えば、車速、車両位置等から構成される。）とを照合し、合致する運転シーンが存在する場合に、その運転シーンを現在の運転シーンとして決定する。
【００４１】
また、運転シーン決定手段１０は、この照合処理において条件が完全に満たされる運転シーンを現在の運転シーンとして決定するが、条件が完全に満たされる運転シーンが存在しない場合には、所定の適合率（条件が満たされる度合いを示す。例えば、速度に関する条件を満たすが、車両位置に関する条件を満たさない場合等がある。）を上回る運転シーンを現在の運転シーンとして決定するようにしてもよい。何れかの運転シーンが常に割り当てられるようにするためである。
【００４２】
また、運転シーン決定手段１０は、運転者が入力装置５を介して監視カメラ群を操作した場合に、その時点における車両状態検出装置４の出力に基づいて、新たな運転シーンを自動的に登録（条件を新たに設定することを意味する。）するようにしてもよく、手動で新たな運転シーンを登録させるようにしてもよい。
【００４３】
運転シーン記録手段１１は、運転シーンを記録するための手段であり、例えば、入力装置５を介して監視カメラ群が操作されたことを検知した場合に、その時点における運転シーンを監視範囲に関連付けて監視範囲ＤＢ７０に記録する。
【００４４】
図２を参照すると、運転シーン記録手段１１は、運転者が右側後部座席（監視範囲ＩＤ＝１に相当する。）の状態を視認すべく表示装置８の表示画像を切り替えた場合に、その時点の運転シーン「信号待ち」（運転シーンＩＤ＝１）を取得し、新規のレコードに運転シーンＩＤと監視範囲ＩＤとを関連付けて記録する。
【００４５】
撮像条件記録手段１２は、撮像条件を記録するための手段であり、例えば、運転シーン記録手段１１と同様、入力装置５を介して監視カメラ群が操作されたことを検知した場合に、その時点における撮像条件を監視範囲に関連付けて監視範囲ＤＢ７０に記録する。
【００４６】
図２を参照すると、撮像条件記録手段１２は、運転者が右側後部座席（監視範囲ＩＤ＝１に相当する。）の状態を視認すべく表示装置８の表示画像を切り替えた場合に、その時点の撮像条件（カメラアングル＝４５度、ズーム倍率２倍）を取得し、運転シーン記録手段１１が生成したレコードの「撮像条件」欄に撮像条件の値を記録する。
【００４７】
監視範囲選択手段１３は、監視範囲を自動的に選択するための手段であり、例えば、監視範囲ＤＢ７０を参照して、運転シーン決定手段１０が決定した現在の運転シーンに対応する監視範囲を抽出して選択する。
【００４８】
また、監視範囲選択手段１３は、着座センサ又は画像センサ等の出力に基づいて監視対象となる搭乗者又は荷物等の存在を確認した上で監視範囲を選択するようにしてもよく、例えば、監視範囲ＤＢ７０から抽出した監視範囲に監視対象が存在しない場合にはその監視範囲を選択しないようにしてもよい。
【００４９】
制御部１は、監視範囲選択手段１３が選択した監視範囲を表示装置８に自動的に表示させることで、運転者による監視範囲の選択を待たずに、所望の監視範囲を運転者が適時かつ迅速に視認できるようにする。
【００５０】
また、制御部１は、監視範囲選択手段１３が選択した監視範囲を表示装置８に表示させるか否かを確認させる画面を表示させ、入力装置５を介した運転者による受諾又は拒絶を求めるようにしてもよく、この場合、運転者による受諾が得られた場合に限り、その監視範囲を表示装置８に表示させるようにする。なお、制御部１は、運転者による明示的な拒絶（例えば、タッチパネル上の拒否ボタンの押下がある。）が確認されなかった場合に、その監視範囲を表示装置８に表示させるようにしてもよい。
【００５１】
更に、制御部１は、監視範囲選択手段１３が選択した監視範囲を表示装置８に表示させるか否かを確認させる音声案内を音声出力装置９から出力させ、音声入力装置を介した運転者による回答を求めるようにしてもよい。表示装置８の視認とタッチパネル等を介した手入力操作とを省略し、運転者による受諾又は拒絶のための操作を迅速かつ簡単にするためである。
【００５２】
なお、制御部１は、運転者による受諾又は拒絶の結果をそれぞれの累積回数として監視範囲ＤＢ７０の「諾否」欄に記録し、拒絶回数が所定数を上回った場合に、対応するレコードを削除したり、一つの運転シーンにおける受諾回数と拒絶回数とがそれぞれ所定数を上回った場合に、その運転シーンを複数の下位運転シーンに分離したりして、事後、不適切な音声案内（例えば、拒絶回数が多い監視範囲表示の諾否を求める案内である。）を出力させないようにする。
【００５３】
これにより、車載カメラシステム１００は、各運転シーンで運転者が求める監視範囲を運転者毎に学習し、運転シーンに応じた最適な監視範囲を自動的に表示装置８に表示させるようにすることができる。
【００５４】
次に、図３を参照しながら、車載カメラシステム１００が運転シーンに対応する監視範囲を表示装置８に表示させる処理（以下、「監視範囲表示処理」とする。）について説明する。なお、図３は、監視範囲表示処理の流れを示すフローチャートであり、車載カメラシステム１００は、自車両のドアロックが解除されたり、着座センサが運転席の運転者を検知したり、或いは、エンジンが始動したりしたことを検知した場合に、個人認証装置６によって運転者を識別し、監視対象ＤＢ７０からその運転者に関するレコードのみを抽出しているものとし、その上で、この監視範囲表示処理を所定周期（例えば、１秒間隔）で繰り返し実行するものとする。
【００５５】
最初に、車載カメラシステム１００の制御部１は、運転シーン決定手段１０により、車両状態検出装置４の出力に基づいて現在の運転シーンを決定する（ステップＳ１）。
【００５６】
その後、制御部１は、監視範囲選択手段１３により、監視範囲ＤＢ７０を参照し、現在の運転シーンに対応する既登録のレコード（以下、「対応レコード」とする。）が存在するか否かを検索し（ステップＳ２）、対応レコードが存在しない場合（ステップＳ２のＮＯ）、監視範囲表示処理を終了させる。
【００５７】
過去の監視状況に鑑み、現時点において運転者が視認を希望する監視範囲が存在しないと判定できるからである。
【００５８】
対応レコードが存在する場合（ステップＳ２のＹＥＳ）、制御部１は、監視範囲選択手段１３により、対応レコードが記憶する監視範囲を、表示装置８に表示すべき監視範囲として選択し、その監視範囲を実際に表示装置８に表示させるべきか否かを運転者に確認させるために、その旨を問うテキスト情報（例えば、「右側後部座席周辺を表示しますか？」である。）と運転者の諾否を受け付けるためのソフトウェアボタン画像（例えば、「ＹＥＳ」ボタン及び「ＮＯ」ボタンである。）とを表示装置８に表示させる（ステップＳ３）。
【００５９】
その後、制御部１は、受諾又は拒絶に対応するソフトウェアボタンが押下されるまで待機し（ステップＳ４）、タッチパネルを介して「ＹＥＳ（受諾を意味する。）」ボタンが押下された場合（ステップＳ４のＹＥＳ）、対応レコードにある受諾回数の値を１だけ加算し（ステップＳ５）、かつ、その監視範囲を表示装置８に表示させた上で（ステップＳ６）、監視範囲表示処理を終了させる。
【００６０】
一方、タッチパネルを介して「ＮＯ（拒絶を意味する。）」ボタンが押下された場合（ステップＳ４のＮＯ）、制御部１は、対応レコードにある拒絶回数の値を１だけ加算し（ステップＳ７）、監視範囲表示処理を終了させる。
【００６１】
なお、車載カメラシステム１００は、上述のようにして開始させた監視範囲の表示を所定時間（例えば、３分間）にわたって継続させるようにしてもよく、所定の車両状態（例えば、所定加速度、所定速度、所定操舵角、所定地点の通過等がある。）が車両状態検出手段４により検出されるまでその表示を継続させるようにしてもよい。
【００６２】
次に、図４を参照しながら、車載カメラシステム１００が運転者の監視特性を学習する処理（以下、「監視特性学習処理」とする。）について説明する。なお、図４は、監視特性学習処理の流れを示すフローチャートであり、車載カメラシステム１００は、運転者が表示装置８又は監視カメラ群を操作する度にこの監視特性学習処理を実行するものとする。
【００６３】
最初に、車載カメラシステム１００の制御部１は、運転シーン決定手段１０により、車両状態検出装置４の出力に基づいて現在の運転シーンを決定する（ステップＳ１１）。
【００６４】
その後、制御部１は、監視範囲選択手段１３により、監視範囲ＤＢ７０を参照し、現在の運転シーンに対応する対応レコードが存在するか否かを検索する（ステップＳ１２）。
【００６５】
対応レコードが存在する場合（ステップＳ１２のＹＥＳ）、制御部１は、運転シーン記録手段１１により、対応レコードが記憶する監視範囲を、運転者が新たに手動で選択した監視範囲に書き換えるようにする（ステップＳ１３）。
【００６６】
なお、運転シーン記録手段１１は、一つの運転シーンに複数の監視範囲が対応するよう監視範囲ＤＢ７０を更新するようにしてもよい。この場合、監視範囲選択手段１３は、受諾回数が最も多い監視範囲を第一候補、その次に受諾回数が多い監視範囲を第二候補とし、運転者による入力に応じ、或いは、所定間隔（例えば、５秒間隔）でそれら監視範囲の表示を順次切り替えながら、それら監視範囲を表示装置８に表示させるようにする。
【００６７】
また、制御部１は、撮像条件記録手段１２により、監視範囲を更新するのと同様に、撮像条件を更新するようにしてもよい。監視対象をより的確に監視できるようにするためである。
【００６８】
一方、対応レコードが存在しない場合（ステップＳ１２のＮＯ）、制御部１は、監視範囲ＤＢ７０に新たなレコードを追加し（ステップＳ１４）、事後、同じ運転シーンに遭遇したときに運転者の希望に添う監視範囲を自動的に表示させることができるようにする。
【００６９】
以上の構成により、車載カメラシステム１００は、所望の監視範囲を視認するために表示装置８に表示される画像を手動で切り替えたり、監視対象をより詳細に監視するためにカメラアングルやズーム倍率を手動で調整したりといった操作を繰り返し運転者に強いることなく、所望の監視範囲を適時に表示装置８に表示させることができ、運転者の特性に応じた適切な運転支援を行うことができる。
【００７０】
また、車載カメラシステム１００は、運転者毎に監視範囲と運転シーンとを関連付けながら記録するので、運転者毎に異なる所望の監視範囲を効率的に学習し、各運転者の特性に応じた適切な監視範囲を適時に表示装置８に表示させることができる。
【００７１】
以上、本発明の好ましい実施例について詳説したが、本発明は、上述した実施例に制限されることはなく、本発明の範囲を逸脱することなしに上述した実施例に種々の変形及び置換を加えることができる。
【００７２】
例えば、上述の実施例において、車載カメラシステム１００は、自車両に属する監視対象の監視に特化するが、自車両に属する監視対象の監視と自車両周辺の監視とを組み合わせるようにしてもよい。
【００７３】
例えば、車載カメラシステム１００は、方向指示器が操作された場合に車両側方の様子が確認できる画像を表示装置８に表示させたり、或いは、自宅の車庫から自車両を出庫させる場合に死角領域の状況を確認できる画像をブラインドコーナーカメラで取得して表示装置８に表示させたりする機能（周辺監視機能）と、段差を通過した後に荷台に積載した荷物を確認できる画像を表示装置８に表示させる機能（自車両監視機能）とを併せ持つようにしてもよい。
【図面の簡単な説明】
【００７４】
【図１】本発明に係る車載カメラシステムの構成例を示す図である。
【図２】監視範囲データベースの構成例を示す図である。
【図３】監視範囲表示処理の流れを示すフローチャートである。
【図４】監視特性学習処理の流れを示すフローチャートである。
【符号の説明】
【００７５】
１      制御部
２      周辺監視カメラ
３      自己監視カメラ
４      車両状態検出装置
５      入力装置
６      個人認証装置
７      記憶装置
８      表示装置
９      音声出力装置
１０    運転シーン決定手段
１１    運転シーン記録手段
１２    撮像条件記録手段
１３    監視範囲選択手段
７０    監視範囲データベース
１００  車載カメラシステム
【図１】
2008290584.tif 000003
【図２】
2008290584.tif 000004
【図３】
2008290584.tif 000005
【図４】
2008290584.tif 000006